(57)【要約】【課題】  封止材にガラスを用いて加熱加工する場合でも、熱膨脹・熱収縮の影響が生じないようにした発光装置を提供する。【解決手段】  ＬＥＤ素子１はサブマウント３に搭載され、このサブマウント３がリードフレームのリード部４Ａ，４Ｂの先端部に実装される。この先端部、ＬＥＤ素子１、及びサブマウント３は、ガラス材による封止部材５によって所定の形状に封止される。封止部材５には、低融点であると共にリード部４Ａ，４Ｂ等の熱膨脹率に近似した熱膨脹率を有するガラス材が用いられる。【選択図】        図１
2006054211.tif 000002
【特許請求の範囲】
【請求項１】
発光素子と、
前記発光素子の周囲を前記発光素子に対する熱膨張率が１５０％から５００％の範囲の透光性ガラス部および金属部で包囲して形成されることを特徴とする発光装置。
【請求項２】
前記金属部は、前記発光素子に給電するリード状の給電部と、前記発光素子の発光に伴って生じる熱を放熱する放熱部とを有することを特徴とする請求項１記載の発光装置。
【請求項３】
前記金属部は、前記給電部と前記放熱部とが一体的に形成されていることを特徴とする請求項２記載の発光装置。
【請求項４】
前記金属部および前記透光性ガラス部は、略同等の熱膨張率を有して構成されることを特徴とする請求項１から３のいずれかに記載の発光装置。
【請求項５】
前記金属部は、軟金属からなることを特徴とする請求項１から４のいずれかに記載の発光装置。
【請求項６】
発光素子と、
前記発光素子を搭載するとともに電力を供給するための金属からなる給電部と、
前記発光素子と前記給電部の一部とを封止する透光性ガラス部とを有し、
前記給電部および前記透光性ガラス部は、前記発光素子に対し、熱膨張率の大なる材料によって形成され、前記発光素子は、前記給電部を含め前記透光性ガラス部によって全体が包囲されていることを特徴とする発光装置。
【請求項７】
発光素子と、
前記発光素子をマウントするサブマウント部と、
前記発光素子に電力を供給するための金属からなる給電部と、
前記発光素子と前記サブマウント部と前記給電部の一部とを封止する透光性ガラス部とを有し、
前記サブマウント部には前記給電部からなる電力を前記発光素子に給電するための電気回路が形成され、
前記給電部および前記透光性ガラス部は、前記発光素子あるいは前記サブマウント部に対し、熱膨張率の大なる材料によって形成され、前記発光素子および前記サブマウント部は、前記給電部を含め前記透光性ガラス部によって全体が包囲されていることを特徴とする発光装置。
【請求項８】
前記給電部および前記透光性ガラス部は、略同等の熱膨張率を有して構成されることを特徴とする請求項６又は７のいずれかに記載の発光装置。
【請求項９】
前記給電部は、軟金属からなることを特徴とする請求項６から８のいずれかに記載の発光装置。
【請求項１０】
前記給電部は、熱伝導率が１００Ｗ・ｍ-1・ｋ-1以上の材料である請求項６から９のいずれかに記載の発光装置。
【請求項１１】
前記サブマウント部は、熱伝導率が１００Ｗ・ｍ-1・ｋ-1以上の材料である請求項７記載の発光装置。
【請求項１２】
前記給電部および前記透光性ガラス部は、前記発光素子あるいは前記サブマウント部に対し１５０％以上の線熱膨張率の材料である請求項７から１１のいずれかに記載の発光装置。
【発明の詳細な説明】
【技術分野】
【０００１】
本発明は、発光装置に関し、特に、発光部の高出力化に伴う発熱によって封止部材とリード部との間に熱膨脹に起因するクラック等の発生を防止できるようにした発光装置に関する。
【背景技術】
【０００２】
ＬＥＤ（Light-Emitting Diode：発光ダイオード）を光源とする発光装置の代表的な構造として、ＬＥＤ素子及びリード部の所定範囲を透光性を有する封止材料で覆うものがある。この封止材料には、エポキシやシリコン等の樹脂やガラスがあるが、成形性、量産性、及びコストの面から、一般に樹脂が用いられている。
【０００３】
近年、赤色や緑色のＬＥＤと同等の高輝度の青色ＬＥＤが開発されたことにより、ＬＥＤ信号機、或いは白色発光のＬＥＤランプ等の用途に供されるようになった。また、より高輝度を得るために高出力のＬＥＤの開発も進められており、すでに数ワットの高出力タイプも製品化されている。高出力タイプのＬＥＤ素子では、大電流が流れるため、発光特性や耐久性の点から無視できないレベルの発熱が生じる。
【０００４】
かかるＬＥＤランプにおいて、パッケージングを樹脂材にした場合、ＬＥＤ素子の発熱により、樹脂材の黄変等の劣化、各部材間の熱膨脹の差に起因してパッケージにクラックを発生させたり、部材間に剥離が生じることが知られている。また、高出力タイプのＬＥＤランプでは、上記した傾向が顕著に現れることから耐久性に優れるＬＥＤランプが切望されている。
【０００５】
このような樹脂パッケージに特有の黄変等の発生、及び耐熱性、耐久性を改善するものとして、例えば、パッケージ材料にガラス材を用いたものがある（例えば、特許文献１参照。）。
【特許文献１】特開平１１−２０４８３８号公報（図１）
【発明の開示】
【発明が解決しようとする課題】
【０００６】
しかし、従来の発光装置によると、ガラスによってＬＥＤ素子等の封止を行う場合には、一般にガラス材を軟化させて加圧加工するか、溶融ガラスを成形してＬＥＤ素子等と一体化する必要があることから、加工時の熱に晒されることによって封止対象が熱膨張する。そしてこの状態で一体化し、応力のないものとして形成され、常温へ戻される。このとき、ＬＥＤ素子と接合基板等の熱膨張率との差が大であると、接合界面には熱収縮差に伴う過大な応力がもたらされて接合不良を生じたり、封止材であるガラスにクラックが生じるといった問題がある。
【０００７】
従って、本発明の目的は、封止材にガラスを用いて加熱加工する場合でも、熱膨張・熱収縮の影響が生じないようにした発光装置を提供することにある。
【課題を解決するための手段】
【０００８】
本発明は、上記した目的を達成するため、発光素子と、前記発光素子の周囲を前記発光素子に対する熱膨張率が１５０％から５００％の範囲の透光性ガラス部および金属部で包囲して形成されることを特徴とする発光装置を提供する。
【０００９】
前記金属部は、前記発光素子に給電するリード状の給電部と、前記発光素子の発光に伴って生じる熱を放熱する放熱部とを有する構成とすることができる。
【００１０】
前記金属部は、前記給電部と前記放熱部とが一体的に形成された構成とすることができる。
【００１１】
前記金属部および前記透光性ガラス部は、略同等の熱膨張率を有する構成とすることができる。
【００１２】
前記金属部は、軟金属で構成されることが好ましい。
【００１３】
また、本発明は、上記の目的を達成するため、発光素子と、前記発光素子を搭載するとともに電力を供給するための金属からなる給電部と、前記発光素子と前記給電部の一部とを封止する透光性ガラス部とを有し、前記給電部および前記透光性ガラス部は、前記発光素子に対し、熱膨張率の大なる材料によって形成され、前記発光素子は、前記給電部を含め前記透光性ガラス部によって全体が包囲されていることを特徴とする発光装置を提供する。
【００１４】
また、本発明は、上記の目的を達成するため、発光素子と、前記発光素子をマウントするサブマウント部と、前記発光素子に電力を供給するための金属からなる給電部と、前記発光素子と前記サブマウント部と前記給電部の一部とを封止する透光性ガラス部とを有し、前記サブマウント部には前記給電部からなる電力を前記発光素子に給電するための電気回路が形成され、前記給電部および前記透光性ガラス部は、前記発光素子あるいは前記サブマウント部に対し、熱膨張率の大なる材料によって形成され、前記発光素子および前記サブマウント部は、前記給電部を含め前記透光性ガラス部によって全体が包囲されていることを特徴とする発光装置を提供する。
【００１５】
前記給電部および前記透光性ガラス部は、略同等の熱膨張率を有して構成されることが好ましい。
【００１６】
前記給電部は、軟金属で構成されることが好ましい。
【００１７】
前記給電部は、熱伝導率が１００Ｗ・ｍ-1・ｋ-1以上の材料であることが好ましい。
【００１８】
前記サブマウント部材は、熱伝導率が１００Ｗ・ｍ-1・ｋ-1以上の材料であることが好ましい。
【発明の効果】
【００１９】
本発明の発光装置によれば、発光素子に対し、熱膨張率が１５０％から５００％の範囲の透光性ガラス部および金属部で全体が包囲されていることにより応力方向が調整されて熱収縮差に起因して生じるクラック等の発生を防止することができる。
【００２０】
また、本発明の発光装置によれば、発光素子に対し、給電部材および封止部材の熱膨張率が大となるように形成されて発光素子は給電部材を含め封止部材によって全体が包囲されていることにより、応力方向が調整されて熱収縮差に起因して生じるクラック等の発生を防止することができる。
【００２１】
また、本発明の発光装置によれば、発光素子あるいはサブマウント部材に対し、給電部材および封止部材の熱膨張率が大となるように形成されていることにより、熱膨脹・熱収縮に起因して生じるクラック等の発生を防止することができる。
【発明を実施するための最良の形態】
【００２２】
図１は、本発明の第１の実施の形態に係る発光装置の構成を示す断面図である。通常、リードフレームには両側に各リード部のアウター側を連結している帯状部が設けられているが、ここでは図示を省略している。また、リードフレーム上には、通常、複数のＬＥＤ素子が実装されるが、ここではそのうちの１個のみを図示している。更に、図１においては、サブマウントは非断面の状態で図示している。
【００２３】
発光装置１０は、金属リード実装タイプであり、実装面にバンプ２を介してフリップチップ接合されるＧａＮ系のＬＥＤ素子１（熱膨張率４．５〜６×１０-6／℃）と、このＬＥＤ素子１が搭載されるサブマウント３と、サブマウント３が搭載される給電部材としてのＣｕからなるリード部（熱膨張率１５〜１７×１０-6／℃、熱伝導率４００Ｗ・ｍ-1・ｋ-1）４Ａ，４Ｂと、LED素子１を中心にしてその周囲を封止する透明ガラス製の封止部材５とを備えて構成されている。
【００２４】
サブマウント３は、例えば、ＡｌＮ（窒化アルミニウム：熱膨張率５×１０-6／℃、熱伝導率１８０Ｗ・ｍ-1・ｋ-1）が用いられ、バンプ２に接続される電極３１Ａ，３１ＢがＬＥＤ素子１の実装面側に形成されており、反対側の面（リードフレーム側の面）には一対のリード部４Ａ，４Ｂに接続するための電極３２Ａ，３２Ｂが形成されている。リード部４Ａ，４Ｂの上面のＬＥＤ素子１の搭載面は、他の部分より１段低く加工されており、この窪み部分内にサブマウント３が配設される。電極３１Ａ，３１Ｂと電極３２Ａ，３２Ｂとを接続するために、サブマウント３内にはスルーホール３３が設けられている。
【００２５】
封止部材５は、透明かつ低融点で、しかも熱膨張率がリード部４Ａ，４Ｂに近い（又は、所定の熱膨張率差の範囲値内）特性を有するシート状のガラスを熱融着させることによってＬＥＤ素子１、サブマウント３、およびリード部４Ａ，４Ｂの一部を封止する透光性ガラス部を形成している。
【００２６】
リード部４Ａが正（＋）電源供給端子であるとすると、リード部４Ａに供給された電流は、リード部４Ａ、電極３２Ａ，３２Ｂの一方、ビアホール３３の一方、電極３１Ａ，３１Ｂの一方、及びバンプ２の一方を経てＬＥＤ素子１のアノードに流れ、更に、ＬＥＤ素子１のカソードを出た電流は、バンプ２の他方、電極３１Ａ，３１Ｂの他方、ビアホール３３の他方、及び電極３２Ａ，３２Ｂの他方を経てリード部４Ｂに流れることにより、ＬＥＤ素子１が発光する。
【００２７】
図２は、リードフレームにサブマウントを搭載した状態を示す平面図である。サブマウント３は、中央部にＬＥＤ素子１を搭載している。リード部４Ａ，４Ｂは、リードフレームの一部として両側の帯状部分より内側に所定の間隙をもって向かい合うように形成され、１個のＬＥＤ素子に対して一対が割り当てられている。
【００２８】
図３は、金型を用いてガラス封止を行う直前の状態を示す図である。同図においては図２のＡ−Ａ部で切断した状態を示している。以下に、図１から図３の図面を参照して発光装置１０の製造方法について説明する。
【００２９】
まず、バンプ２が設けられているＬＥＤ素子１をサブマウント３上に位置決めし、リフローを行ってバンプ２と電極３１を電気的に接続すると共に、機械的に固定する。
【００３０】
次にサブマウント３に搭載されたＬＥＤ素子１をリード部４Ａ，４Ｂの先端部の窪み内に通電方向を合致させて配置する。なお、サブマウント３は、電極３１Ａ，３１Ｂ，電極３２Ａ，３２Ｂ、及びビアホール３３が予め形成済みのものを用いる。
【００３１】
次に、リードフレーム６を金型内に搬入し、ＬＥＤ素子１の上方及び下方にガラスシート７，８を配置する。ガラスシート７，８は、封止部材５を形成するためのものであり、同時に複数個のＬＥＤ素子１を封止できる大きさを有している。
【００３２】
次に、ガラスシート７を覆うようにして上金型１１を配置し、更に、ガラスシート８を覆うようにして下金型１２を配置する。次に、真空雰囲気中でガラスシート７，８を４５０℃に加熱して軟化させた状態で上金型１１と下金型１２とを図２の矢印方向に移動させることによってガラスシート７，８に圧力をかけると、上金型１１の凹部１１Ａ及び下金型１２の凹部１２Ａに沿ってガラスシート７，８が図１に示す封止部材５のようなドーム状に成形される。
【００３３】
次に、リードフレーム４の帯部等の不要部分を除去することにより、発光装置１０の各々をリードフレーム４から分離する。
【００３４】
発光装置１０は、パッド電極１０８及びｎ型電極１０９に電気的に接続されたバンプ２を介して順方向の電圧を印加すると、ＬＥＤ素子１の活性層内においてホール及びエレクトロンのキャリア再結合が発生して発光し、出力光がサファイア基板１０１を介してＬＥＤ素子１の外部へ放射される。この出力光は、封止部材５を透過して外部に放射される。
【００３５】
上記した第１の実施の形態によると、以下の効果が得られる。
【００３６】
（１）熱膨張率の小なるＬＥＤ素子１を熱膨張率の大なるガラス材の封止材料５で全体を包囲するように封止したため、熱膨張率の差に基づいて生じる内部応力がＬＥＤ素子１の中心に向かうように調整される。すなわち、ガラス加工後にガラス材の熱収縮に基づく内部応力が生じても、その内部応力はＬＥＤ素子１の中心方向に向かう圧縮力となるため、圧縮に対して強度を有するガラス材は破壊することなくガラス封止構造を実現できる。
【００３７】
（２）熱膨張率の小なるＬＥＤ素子１を熱膨張率の小なるサブマウント３に搭載して熱膨張率の大なるリード部４Ａ、４Ｂに搭載しているため、封止部材５を形成しているガラス材については、熱膨張率の小なるＬＥＤ素子１と熱膨張率の大なるリード部４Ａ、４Ｂの双方との接着性が要求されるが、ＬＥＤ素子１に近い熱膨張率のものを選択して封止することが好ましい。Ｃｕ等の軟金属によって形成されたリード部４Ａ、４Ｂはガラス材と比べて弾性に富むことから、仮に、ＬＥＤ素子１およびサブマウント３に対して熱膨張率の差が１５０％から４００％の範囲であれば、ガラス材との良好な接着性を維持しながら熱収縮差に基づく応力を構造的に吸収することができる。このことから、リード部４Ａ、４Ｂをガラス材で挟み込んで封止する場合でもクラック等の不良を生じることはない。
【００３８】
（３）ＬＥＤ素子１への投入電力が大きく発熱温度が高くなるような場合でも、ＬＥＤ素子１が発する熱を外部放熱することができ、発光効率の低下を効果的に防止できる。特に、サブマウント３およびリード部４Ａ，４Ｂの熱伝導率を１００Ｗ・ｍ-1・ｋ-1以上とすることで実現できる。
【００３９】
（４）低融点のガラスシート７，８を用いて封止部材５を形成するので、加熱に要する時間の短縮や、簡易な加熱装置の使用が可能となり、ガラス封止加工が容易になる。
【００４０】
（５）加工時にクラック等の不良を生じにくくなるため、ガラスによる高い封止性を長期にわたって安定的に維持することができ、水中や多湿条件下でも発光特性の低下を生じず、長期にわたる優れた耐久性を発揮する。
【００４１】
なお、第１の実施の形態では、ＬＥＤ素子１としてＧａＮ系のＬＥＤ素子１を用いた構成を説明したが、ＬＥＤ素子はＧａＮ系に限定されるものではなく、他のＬＥＤ素子を用いることも可能である。
【００４２】
また、上記した実施の形態では、Ｃｕからなるリード部４Ａ，４ＢにＡｌＮからなるサブマウント３を搭載した構成を説明したが、例えば、真鍮からなるリード部（熱伝導率１０６Ｗ・ｍ-1・ｋ-1）にＳｉからなるサブマウント３（熱伝導率１７０Ｗ・ｍ-1・ｋ-1）を搭載するといった構成も可能である。
【００４３】
また、封止部材５についても、シート状のガラスを用いて複数個のＬＥＤ素子１およびサブマウント３を一括して封止する方法で形成するものに限定されず、溶融させたガラス材をＬＥＤ素子１およびサブマウント３の周囲に供給して上金型１１と下金型１２とで加熱プレス成形することによって形成するようにしても良い。また、使用されるガラス材についても光透過性を有するものであれば透明に限定されるものではなく、着色されているものであっても良い。
【００４４】
また、封止部材５は、仕様等に応じて種々の形状にすることができる。例えば、丸形、楕円形、四角形等のほか、レンズ付き、レンズ無し等の形状も可能である。
【００４５】
上記した第１の実施の形態では、金属リードを給電部材とするフリップチップ型発光装置を説明したが、他の形態の発光装置に適用することも可能である。例えば、ワイヤボンディングを用いたフェイスアップ（ＦＵ）型の発光装置等にも適用可能である。
【００４６】
図４は、第１の実施の形態に係る発光装置の変形例を示す断面図である。この発光装置１０では、封止部材５の熱膨張・熱収縮によるクラックを防止するものとして、サブマウント３の角部を除去することにより傾斜部３Ａを設けた構成としている。このようサブマウント３を用いることで、第１の実施の形態の好ましい効果に加えてクラックの発生しにくいガラス封止型発光装置１０を実現できる。
【００４７】
図５は、本発明の第２の実施の形態に係るフェイスアップ型の発光装置を示す断面図である。この発光装置４０は、先端部に間隔を設けて水平及び一直線上に配置された給電部材としてのリード部４Ａ、４Ｂと、リード部４Ａの先端部の上面に接着剤等を介して搭載されたＧａＮ系のＬＥＤ素子４１と、ＬＥＤ素子４１上の２つの電極（図示せず）とリード部４Ａ、４Ｂとを接続するワイヤ４２と、ＬＥＤ素子４１及びリード部４Ａ、４Ｂの先端部を封止するガラス材による封止部材５とを備えて構成されている。
【００４８】
封止部材５は、透明、低融点、及び所定値内の熱膨張率を有するガラス材を用いている。特に、フェイスアップ型では、ワイヤを用いることにより、ガラス封止の際、加熱により軟化したワイヤ４２およびワイヤ接続部４２Ａが加圧によって押しつぶされ易くなるので、ショート等を生じ易くなる。このため、できるだけ低融点のガラス材を用いるのが望ましい。
【００４９】
以下に、発光装置４０の組み立てについて説明する。
【００５０】
まず、リードフレームの分離前の状態において、リード部４Ａの先端上面にＬＥＤ素子４１が搭載される。次に、ＬＥＤ素子４１の上面の１方の電極とリード部４Ａの上面とがワイヤ４２で接続され、更に、ＬＥＤ素子４１の上面の他方の電極とリード部４Ｂの上面とがワイヤ４２で接続される。次に、第１の実施の形態で説明したように、金型によるガラス材の成形が行われ、所定形状の封止部材５が形成される。最後に、リードフレーム４の不要部分が除去されることにより、発光装置４０の各々がリードフレーム４から分離される。
【００５１】
図５において、例えば、リード部４Ａがアノード側であれば、リード部４Ａに直流電源（図示せず）のプラス側が接続され、リード部４Ｂにはマイナス側が接続される。この通電により、ＬＥＤ素子４１が発光する。その光は、ＬＥＤ素子４１の上面から出射し、その殆どは封止部材５内を透過して外部へ出光し、他の一部は内面反射を経て封止部材５の外へ出光する。
【００５２】
上記した第２の実施の形態によると、第１の実施の形態の好ましい効果に加え、リード部４Ａ，４Ｂと封止部材５との熱膨張率の値を考慮し、かつ低融点のガラス材を用いたことにより、フェイスアップ型の発光装置４０であっても剥離やクラックの発生を防止することができる。
【００５３】
なお、上記した各実施の形態において、リード部４Ａ，４Ｂの表面に反射面を形成し、光の出射効率を高めるようにしても良い。
【００５４】
また、ＬＥＤ素子１，４２の上部の封止部材５内に、所定の波長の光で励起される蛍光体等を用いた波長変換部を設けることもできる。
【００５５】
更に、上記した各実施の形態においては、１つの封止部材内に配設されるＬＥＤ素子の個数は１個であるとしたが、ＬＥＤ素子が２個以上のマルチ発光型の発光装置にすることもできる。この場合の発光装置のタイプとしては、フリップチップ接合型である図１の構成が適している。搭載する複数のＬＥＤ素子は、異なる発光色のＬＥＤ素子を複数設ける構成でも、同一発光色のＬＥＤ素子を複数設ける構成でも良い。
【００５６】
更に、ＬＥＤ素子の駆動形態としては、複数のＬＥＤ素子の全部を並列接続し又はグループ単位で並列接続しても、複数単位に直列接続し又は全数を直列接続しても良い。
【００５７】
また、封止部材５の形状として、頂部にレンズ部が形成された半球状の構成を示したが、封止部材５は図示した形状に限定されるものではなく、レンズ部を有しない形状、多角形、円柱形等、任意の形状にすることができる。
【００５８】
更に、封止部材５の成形に際しては、ガラスシートを用いたが、ガラスシートを用いた方法に限定されるものではなく、他の封止方法を用いても良い。
【００５９】
図６は、本発明の第３の実施の形態に係るフリップチップ型の発光装置を示し（ａ）は断面図、（ｂ）は（ａ）の右側面から見た側面図である。なお、第１の実施の形態と同一の構成を有する部分については共通する引用数字を付している。この発光装置１０は、図６（ａ）に示すようにサブマウント素子３をＣｕからなる放熱部５０に搭載して低融点ガラスからなる封止部材５で一体的に封止した構成を有し、封止部材５にはレンズ５Ａが形成されている。
【００６０】
サブマウント素子３は、放熱部５０に設けられる溝部５１に収容されており、その表面に設けられる配線パターン５３とＬＥＤ素子１の電極とがバンプ２によって電気的に接続されることによって給電部の一部を構成している。配線パターン５３は、ＬＥＤ素子１との接合後に軟金属であるＣｕからなるリード部４Ａ、４Ｂとはんだ接合される。リード部４Ｂは、図６（ｂ）に示すように溝部５１に長方形断面で棒状のガラス材５２を介在させることによって放熱部５０と絶縁された状態で封止部材５を加熱プレスされる。このとき、リード部４Ａについてもリード部４Ｂと同様に処理される。リード部４Ａ、４Ｂは、加熱プレスに基づいて溶融したガラス材５２および封止部材５により放熱部５０と絶縁された状態で一体化される。
【００６１】
第３の実施の形態によると、サブマウント素子３を搭載した放熱部５０をガラス材からなる封止部材５で一体的に封止するようにしたため、第１の実施の形態の好ましい効果に加えてサブマウント素子３から伝わる熱の放熱性を高めることができ、ガラス封止加工時だけでなく、例えば、大電流化によってＬＥＤ素子１からの発熱量が増大する場合であっても放熱性に優れ、かつ、熱膨張率差によるパッケージクラックを生じにくい発光装置１が得られる。
【００６２】
なお、上記した第３の実施の形態では、Ｃｕからなる放熱部５０を用いた構成を説明したが、例えば、Ｃｕ合金やアルミニウム等の熱伝導性が良好で、かつ、封止部材５との熱膨張率差が小であるものを用いることもできる。仮に、アルミニウムからなる放熱部５０とした場合には、ＬＥＤ素子１およびサブマウント３に対して熱膨張率の差は約５００％となる。
【００６３】
図７は、本発明の第４の実施の形態に係るフェイスアップ型の発光装置を示し（ａ）は断面図、（ｂ）は（ａ）の右側面から見た側面図である。なお、第２の実施の形態と同一の構成を有する部分については共通する引用数字を付している。この発光装置４０は、図７（ａ）に示すようにＣｕからなる放熱部５０の中央にＬＥＤ素子４０を接着し、このＬＥＤ素子４０に給電するリード部４Ａ、４ＢとＬＥＤ素子４０の電極とをワイヤ４２で電気的に接続して構成されている。また、ＬＥＤ素子４０、ワイヤ４２、およびリード部４Ａ、４Ｂは低融点ガラスの加工時の熱に対して耐熱性を有するようにシリコン樹脂からなるシリコンコート部６０によって覆われている。封止部材５はシリコンコート部６０を覆うとともに放熱部５０と一体化されている。なお、封止部材５にはレンズ５Ａが形成されている。
【００６４】
第４の実施の形態によると、フェイスアップ型の発光装置４０であっても耐熱性および弾性を有するシリコンコート部６０によってＬＥＤ素子４１の周囲を覆うことにより、ガラス封止加工時の圧力によるＬＥＤ素子４１の電極やワイヤ４２の変形を防ぎながらガラス封止が可能となるため、第２の実施の形態の好ましい効果に加えてＬＥＤ素子４１の実装性に優れ、ガラス封止加工時だけでなく、例えば、大電流化によってＬＥＤ素子４１からの発熱量が大になる場合であっても放熱性が良好で、かつ、熱膨張率差によるパッケージクラックを生じにくい発光装置１が得られる。また、シリコンコート部６０は、蛍光体を含有させたものであっても良い。
【００６５】
なお、上記した第４の実施の形態では、放熱部５０に搭載されたＬＥＤ素子４１に対して一対のリード部４Ａ、４Ｂから給電する構成を説明したが、例えば、放熱部５０と一方のリード部を一体化し、他方のリード部と放熱部５０とをガラス材５２によって絶縁する構成としても良い。
【００６６】
また、コート材としてシリコン樹脂を用いる他に、セラミックコート材等の他の耐熱性を有する材料を用いることができる。このコート材を施す構成については、フェイスアップ型のＬＥＤ素子に限定されず、フリップチップ型ＬＥＤ素子へも適用することができる。
【図面の簡単な説明】
【００６７】
【図１】本発明の第１の実施の形態に係る発光装置の構成を示す断面図である。
【図２】リードフレームにサブマウントを搭載した状態を示す平面図である。
【図３】金型を用いてガラス封止を行う直前の状態を示す図である。同図においては図２のＡ−Ａ部で切断した状態を示している。
【図４】本発明の第１の実施の形態に係る発光装置の変形例を示す断面図である。
【図５】本発明の第２の実施の形態に係るフェイスアップ型の発光装置を示す断面図である。
【図６】本発明の第３の実施の形態に係るフリップチップ型の発光装置を示し（ａ）は断面図、（ｂ）は（ａ）の右側面から見た側面図である。
【図７】本発明の第４の実施の形態に係るフェイスアップ型の発光装置を示し（ａ）は断面図、（ｂ）は（ａ）の右側面から見た側面図である。
【符号の説明】
【００６８】
１、ＬＥＤ素子  ２、バンプ  ３、サブマウント  ３Ａ、傾斜部
４、リードフレーム  ４Ａ、リード部  ４Ｂ、リード部
５、封止部材  ５Ａ、レンズ  ６、リードフレーム  ７、ガラスシート
８、ガラスシート  １０、発光装置  １１、上金型
１１Ａ、凹部  １２、下金型  １２Ａ、凹部  ３１Ａ、電極
３１Ｂ、電極  ３２Ａ、電極  ３２Ｂ、電極  ３３、ビアホール
４０、発光装置  ４１、ＬＥＤ素子  ４２、ワイヤ
４２Ａ、ワイヤ接続部  ５０、放熱部  ５１、溝部  ５２、ガラス材
５３、配線パターン  ６０、シリコンコート部
【図１】
2006054211.tif 000003
【図２】
2006054211.tif 000004
【図３】
2006054211.tif 000005
【図４】
2006054211.tif 000006
【図５】
2006054211.tif 000007
【図６】
2006054211.tif 000008
【図７】
2006054211.tif 000009